(57)【要約】【課題】本考案は、飲料、食料及び化粧料等を収納するガラス製、プラスチック製の容器の外面に貴金属あるいは宝石等の装飾物をろう付け固定することにより、高級感のある豪華な装飾容器を提供することを目的とする。【解決手段】本考案は、ガラス製又はプラスチック製であって、ワイン、日本酒、焼酎、洋酒等の酒類及び飲料水を収容するボトル、醤油等の調味料を収容する容器、並びに化粧料を収容する容器の外面の取付孔内に宝石、貴金属、クリスタルガラス、プラスチック又は木から形成されてなる装飾物を埋込み固定してなることを特徴とする。【選択図】    図  １
0003126858.tif 000002
【実用新案登録請求の範囲】
【請求項１】
容器の外面に形成された取付孔内に装飾物を埋込み固定してなることを特徴とする装飾容器。
【請求項２】
容器が、ガラス製又はプラスチック製であって、ワイン、日本酒、焼酎、洋酒等の酒類もしくは飲料水を収容するボトル、醤油等の調味料を収容する容器、または、化粧料を収容する容器であることを特徴とする請求項１記載の装飾容器。
【請求項３】
容器が、ガラス製又はプラスチック製のコップであることを特徴とする請求項１記載の装飾容器。
【請求項４】
装飾物が、宝石、貴金属、クリスタルガラス、プラスチックまたは木から形成されてなることを特徴とする請求項１乃至３のいずれか１項に記載の装飾容器。
【請求項５】
光を透過させる装飾物の裏面に金属製薄板からなる裏板を一体的に取付けてなることを特徴とする請求項４記載の装飾容器。
【請求項６】
容器の外面にネックレスをろう付けにより固定してなることを特徴とする装飾容器。
【考案の詳細な説明】
【技術分野】
【０００１】
本考案は、飲料、調味料及び化粧料等を収納する容器の外面を貴金属あるいは宝石等によって装飾した装飾容器に関する。
【背景技術】
【０００２】
従来、装飾を施された飲料容器として、ガラス瓶容器本体の外表面に衣装を着脱自在に取付けたワイン瓶容器（例えば、特許文献１参照。）、酒びんの外表面に家紋を刻設した家紋入り酒びん（例えば、特許文献２参照。）及びガラス製の瓶体の外表面に周溝を形成し、該周溝に弾体を嵌装し、弾体の外径より僅かに小径の内周面を有する装飾金属体を組付けてなる装飾されたガラス瓶体（例えば、特許文献３参照。）が知られており、また、装飾を施された化粧料容器として、ブロー成形瓶体の胴部の外周面にホットスタンプ法によりラベル形状に接着貼付した金属箔層で加飾したブロー成形瓶体（例えば、特許文献４参照。）が知られており、さらに、装飾を施されたディスプレイ用の瓶として、瓶の外表面に苔類の胞子を植え付けた多孔質の溶岩、大谷石等自然石を接着剤で貼り付けた瓶（例えば、特許文献５参照。）が知られている。
【特許文献１】特開２００２−２４９１３７号公報
【特許文献２】実開昭５３−１３１９５３号公報
【特許文献３】実開昭５２−１５５１５７号公報
【特許文献４】特開２００５−２８０８２６号公報
【特許文献５】特開２００２−２７０３号公報
【０００３】
上記特許文献１に記載のガラス瓶容器本体の外表面に衣装を着脱自在に取付けたワイン瓶容器においては、見た者に装飾感を与えるものの、特別豪華な印象を与えるというものではない。
また、上記特許文献２に記載の酒びんの外表面に家紋を刻設した家紋入り酒びんでは、風雅な装飾的効果をもたらすものの、特許文献１記載のワイン瓶容器と同様、特別豪華な印象を与えるというものではない。  
さらに、上記特許文献３に記載のガラス製の瓶体の外表面に周溝を形成し、該周溝に弾体を介して装飾金属体を組付けてなるガラス瓶体は、瓶体を製造する段階で周溝を形成しておく必要があり、大量生産に向いているが、手軽に消費者の好みに応じて対応できるものではない。
また、上記特許文献４に記載のブロー成形瓶体の胴部の外周面にホットスタンプ法によりラベル形状に接着貼付した金属箔層で加飾したブロー成形瓶体では、ホットスタンプ法に適した金属箔層でしか装飾ができないという欠点があり、また、消費者の好みに応じて手軽に製作することに適したものでもない。
さらにまた、上記特許文献５に記載の瓶の外表面に苔類の胞子を植え付けた自然石を接着剤で貼り付けた瓶は、瓶が岩石で構成されているという奇抜さ及び瓶表面に苔が生育するので高級感を醸し出すことができるが、あくまで、ディスプレイ用の瓶の範囲にとどまるものであって、通常のワイン用ボトル、日本酒あるいは焼酎のボトル等に用いることはできない。
【考案の開示】
【考案が解決しようとする課題】
【０００４】
本考案は、飲料、調味料及び化粧料等を収納するガラス製、プラスチック製の容器の外面に貴金属あるいは宝石等の装飾物を埋め込み固定することにより、高級感のある豪華な装飾容器を提供することを目的とする。
また、本考案は、飲料、調味料及び化粧料等を収納するガラス製、プラスチック製の容器の外面に貴金属あるいは宝石等の装飾物をろう付け固定することにより、高級感のある豪華な装飾容器を提供することを目的とする。
また、本考案は、必ずしも製造段階だけででなく、商品として出荷された後の段階において、小売店等の直接消費者に接する店において消費者の好みに応じて手軽に注文を受け、加工が可能な装飾容器を提供することを目的とする。
【課題を解決するための手段】
【０００５】
前記目的を達成するために、請求項１記載の考案は、容器の外面に形成された取付孔内に装飾物を埋込み固定してなることを特徴とするものである。
【０００６】
同様に前記目的を達成するために、請求項２記載の考案は、容器が、ガラス製又はプラスチック製であって、ワイン、日本酒、焼酎、洋酒等の酒類もしくは飲料水を収容するボトル、醤油等の調味料を収容する容器、または、化粧料を収容する容器であることを特徴とするものである。
【０００７】
同様に前記目的を達成するために、請求項３記載の考案は、容器が、ガラス製又はプラスチック製のコップであることを特徴とするものである。
【０００８】
同様に前記目的を達成するために、請求項４記載の考案は、装飾物が、宝石、貴金属、クリスタルガラス、プラスチック又は木から形成されてなることを特徴とするものである。
【０００９】
同様に前記目的を達成するために、請求項５記載の考案は、光を透過させる装飾物の裏面に金属製薄板からなる裏板を一体的に取付けてなることを特徴とするものである。
【００１０】
同様に前記目的を達成するために、請求項６記載の考案は、容器の外面にネックレスをろう付け固定することを特徴とするものである。
【考案の効果】
【００１１】
本考案は、以下のような優れた効果を奏する。
（１）飲料、調味料及び化粧料等を収納するガラス製、プラスチック製の容器の外面に貴金属あるいは宝石等の装飾物を埋め込み固定することにより、また、ネックレスをろう付け固定することにより、高級感のある豪華な装飾容器を提供することができる。
（２）本考案は、必ずしも製造段階だけででなく、商品として出荷された後の段階において、小売店等の直接消費者に接する店において消費者の好みに応じて手軽に注文を受け、加工が可能な装飾容器を提供することができる。
（３）結婚式の引出物、贈答品等として、世界にただ１つしかない特別な思いを込めた記念品に利用できる装飾容器を提供することができる。
【考案を実施するための最良の形態】
【００１２】
本考案に係る装飾容器をを実施するための最良の形態を図面を参照して以下に説明する。
【実施例１】
【００１３】
本考案の実施例１を図１乃至図５を参照して説明する。
図１は、実施例１の全体構成を示す正面図、図２は、装飾物の代表的な例を示す平面図、図３乃至図５は、装飾物の取付状態を示す断面図である。
【００１４】
図１において、装飾が施される容器としてガラス製のワインボトル１の例を示している。
装飾が施される容器としてガラス製のワインボトル１の他に、ガラス製又はプラスチック製であって、ワイン、日本酒、焼酎、洋酒等の酒類及び飲料水を収容するボトル、醤油等の調味料を収容する容器、並びに、化粧料を収容する容器等が適している。また、その他、ガラス製あるいはプラスチック製のコップに装飾を施しても良い。
【００１５】
図１のワインボトル１は、製造段階で本考案の装飾が施され、または既に工場においてワインが充填、密封されされた状態のものに対して販売段階で本考案の装飾が施され、販売店において販売可能な状態のものを示している。
ワインボトル１の外表面の上部は図柄の記入された包装紙２によって包装されており、また、中央部から下部にかけて、特殊加工により図柄３及び記念文字４が彫り込まれている。
【００１６】
ワインボトル１の外面の目立つ位置には装飾物５が埋め込み固定されている。図１の例では、装飾物５が、図柄３を構成するその一部として、また、記念文字４を一層引き立たせるように配設されている。このため、ワインボトル１が高級感のある豪華な雰囲気を醸し出している。装飾物５は、単数あるいは複数、全体的配置関係を勘案して配設される。
装飾物５は、輝きがあり豪華な感じを与える宝石、貴金属、クリスタルガラス、プラスチック及び木から形成される。      
なお、図柄３及び記念文字４の加工並びに装飾物５の埋め込み固定は、少量の場合は、販売店において購入者から依頼を受け、自店であるいは加工業者に依頼して行うことが可能であるが、大量に注文を受けるような場合は、製造の段階で行うことが適切である。
【００１７】
上記の宝石としては、ダイアモンド、ルビー、サファイア、アレキサンドライト、クリソベリルキャッツアイ、トバーズ、エメラルド、アクアマリン、グリーンガーネット、トルマリン、ガーネット、アメシスト、シトリン、めのう、ひすい、タンザナイト、ムーンストーン、トルコ石、オパール、真珠、珊瑚及びコハク等が含まれ、天然石の他、人造石でもよい。
【００１８】
上記の貴金属としては、金、銀、白金、バラジウム、ロジウム、イリジウム、ルテニウム、ニッケル、銅等が含まれる。
【００１９】
図２は、装飾物の形状の例を示す平面図である。  
図２（ａ）は、円錐形の基部６の上部を多角形部７の形状にカットされたものであり、基部６及び多角形部７の表面があらゆる方向からの光に対してもキラキラと輝くように表面加工されており、例えば、宝石、貴金属、クリスタルガラスまたはプラスチック製の装飾物に適している。
図２（ｂ）は、ハート形に加工されたものであり、表面が輝くように表面加工されており、例えば、貴金属製の装飾物に適している。
図２（ｃ）は、楕円形基部８の上に人物のプロフィールをあしらった形状の人物像９が形成されたものであり、表面は特に輝くような加工をせず、装飾物の素材の感じを提供している。
上記装飾物５の寸法は、容器の大きさによって適宜設定されるものであるが、例えば、７５０ｍｌのワインボトルの場合、２〜１０ｍｍ程度である。
【００２０】
図３は、装飾物の取付状態の一例を示す断面図である。
容器１０の外面には装飾物５を埋め込み固定するための取付孔１１がサンドブラスト法、または、レーザー加工法により形成されている。
装飾物５の裏面には、予め、金属製薄板からなる裏板１２が透明接着剤等により固着されている。裏板１２は、装飾部５を取付孔１１に埋め込み固定する際の補強をなすとともに装飾物５の外方から入射した光を反射させ、装飾物５を明るく輝かせる役割も果たしている。
裏板１２が固着された装飾物５は、取付孔１１に嵌入され、接着剤１３により接着固定される。この際、裏板１２の上面が容器１０の外面とほぼ面一になるように取付孔１１の深さが設定される。
【００２１】
図４は、装飾物５としてダイアモンドを用いた場合の取付状態の一例を示す断面図である。なお、図３と同じ符号は同じものを指している。
図４の例では、ダイアモンド５には、図３の場合のように裏板１２を用いることなく、直接、取付孔１１内にダイアモンド５の下部を嵌入して接着剤１３で取付孔１１内に埋め込み固定している。この場合、取付孔１１の底面に図示しない反射板を設け、接着剤１３として透明なものを用いて、ダイアモンドを透過した一部の光を反射板で反射させるようにしてもよい。
【００２２】
図５は、装飾物５として貴金属製の薄板を用いた場合の取付状態の一例を示す断面図である。なお、図３と同じ符号は同じものを指している。
図５の例では、貴金属製薄板５を取付孔１１内に嵌入して接着剤１３で取付孔１１内に埋め込み固定している。この例では、貴金属製薄板５の表面で光をほとんど反射させる。
【実施例２】
【００２３】
本考案の実施例２を図６を参照して説明する。
図６は、実施例２の全体構成を示す正面図であり、図１と同じ符号は同じものを指している。
【００２４】
図６において、装飾が施される容器としてガラス製のワインボトル１の例を示しているが、実施例１と同様、ガラス製のワインボトル１の他に、ガラス製又はプラスチック製であって、ワイン、日本酒、焼酎、洋酒等の酒類及び飲料水を収容するボトル、醤油等の調味料を収容する容器、並びに、化粧料を収容する容器等が適している。また、その他、ガラス製あるいはプラスチック製のコップに装飾を施しても良い。
【００２５】
図１のワインボトル１は、製造段階で本考案の装飾が施され、または既に工場においてワインが充填、密封されされた状態のものに対して販売段階で本考案の装飾が施され、販売店において販売可能な状態のものを示している。
ワインボトル１の外表面の上部は図柄の記入された包装紙２によって包装されており、また、中央部から下部にかけて、特殊加工により図柄３及び記念文字４が彫り込まれている。
【００２６】
ワインボトル１の首部１４にネックレス１５の鎖部１６をかけて、下方に向けてその本体部を垂らすようにしてネックレス１５をワインボトル１の外面に装着している。
ネックレス１５がワインボトル１から離脱したり、不用意な動きをすることを防止するため、固定具１７とワインボトル１外面との間にネックレス１５の鎖部１６の一部を挟持し、固定具１７をろう付けによりワインボトル１外面に固定する。
このようにすることにより、ネックレス１５は、ワインボトル１外面に固定される。
ネックレス１５としては、購買者の好みのものを選択することができる。
【図面の簡単な説明】
【００２７】
【図１】実施例１の全体構成を示す正面図である。
【図２】実施例１における装飾物の代表的な例を示す平面図である。
【図３】実施例１における装飾物の取付状態の一例を示す断面図である。
【図４】実施例１における装飾物の取付状態の他の例を示す断面図である。
【図５】実施例１における装飾物の取付状態の他の例を示す断面図である。
【図６】実施例２の全体構成を示す正面図である。
【符号の説明】
【００２８】
１    ワインボトル      
２    包装紙     
３    図柄      
４    記念文字       
５    装飾物      
６    基部      
７    多角形部      
８    楕円形基部      
９    人物像
１０  容器
１１  取付孔     
１２  裏板      
１３  接着剤     
１４  ワインボトルの首部      
１５  ネックレス      
１６  鎖部      
１７  固定具        
【図１】
0003126858.tif 000003
【図２】
0003126858.tif 000004
【図３】
0003126858.tif 000005
【図４】
0003126858.tif 000006
【図５】
0003126858.tif 000007
【図６】
0003126858.tif 000008